(57)【要約】【課題】１つの軸体で、磁気表示パネル上に２種類の線幅や、あるいは磁気反転タイプや磁気泳動反転タイプの磁気表示パネルにおいては線の色が異なった表示が可能であって、キャップを被覆することなく、筆記用具を落下した際に、磁石の縁部に直に衝撃が加わって磁石の縁部が欠けたりせず、また筆記用具の筆記先端部に付着した砂鉄を容易に取り除け、立てた状態の磁気表示パネルに対して筆記を行っても、良好な筆跡が得られる磁気表示パネル用の筆記用具を得る。【解決手段】軸体２の中央に、軸体２の両端に開口した通路部３を設ける。通路部３の軸体２の両端部２ａ、２ｂに、凹溝で形成された収容部４、５を、該収容部４、５の底部６、７が通路部３を挟んで周方向における反対側に互いが位置するように、通路部３に連通しかつ開口させて設けてある。通路部３に、一方端をＮ極とし他方端をＳ極の磁極とした磁石６を移動可能に挿入する。【選択図】図１
2010019943.tif 000002
【特許請求の範囲】
【請求項１】
磁石の磁気を利用して表示を行うことができる磁気表示パネル用の筆記用具において、非磁性体からなる軸体の内部に、軸体の一方の端部から他方の端部に延びた空間状の通路部を形成するとともに、通路部に磁石を移動可能に収容し、通路部の両端部に、通路部に連通した凹溝状の収容部を磁石が通路部から収容部へ移動して収容可能に設け、筆記時において、磁石が通路部を移動して筆記側となる軸体の一方の端部または他方の端部に位置することで、または一方の収容部または他方の収容部に収容することで、磁気表示パネルへの筆記を可能としたことを特徴とする、磁気表示パネル用の筆記用具。
【請求項２】
前記収容部を、各々の収容部の底部が通路部を挟んで周方向における反対側に位置するように設けたことを特徴とする、請求項１に記載の磁気表示パネル用の筆記用具。
【請求項３】
前記収容部を、軸体の中心線上に位置させるとともに、通路部を軸体の中心線に対して交叉するように傾斜させて設けたことを特徴とする、請求項２に記載の磁気表示パネル用の筆記具。
【請求項４】
前記軸体が、長手方向に延びた棒状の形状であって、軸体の両方の把持部の、各々の収容部の底部の通路部を挟んで周方向における反対側の部分に、親指用の窪み状の指用当接部と人差指用の窪み状の指用当接部を設けたことを特徴とする、請求項１ないし３のいずれか１項に記載の磁気表示パネル用の筆記具。
【請求項５】
前記軸体の両方の把持部または把持部の近傍の収容部に対向した外側面の部分に、凸状または凹状の表示部を設けたことを特徴とする、請求項１ないし３のいずれか１項に記載の磁気表示パネル用の筆記具。
【請求項６】
前記磁石が、一方端をＮ極とし他方端をＳ極の磁極とした磁石であり、磁石が移動方向に回転することなく通路部に収容したことを特徴とする、請求項１ないし５のいずれか１項に記載の磁気表示パネル用の筆記用具。
【請求項７】
前記通路部の両端部における軸体の端部において、各々の端部に異なる色彩が施された透明、または半透明で形成したことを特徴とする、請求項６に記載の磁気表示パネル用の筆記用具。
【発明の詳細な説明】
【技術分野】
【０００１】
本発明は、磁石の磁気を利用して表示を行うことができる磁気表示パネル用の筆記用具に関する。
【背景技術】
【０００２】
従来、磁石を軸体に装着した筆記用具を用いて筆記することにより、その磁石の磁気を利用して表示を行うことができる磁気表示パネルについては知られている。例えば、
ａ）多くの微小粒の表示用磁性体と分散媒と増稠剤とを主成分とする降伏値を有する分散液体をパネル間に収容した磁気表示パネルであって、パネルの表示面から磁石により前記表示用磁性体を表示面側に吸引泳動させて表示を形成し、反対面から磁石により磁性粒子を表示面とは反対側の面に吸引沈降させて表示を消去する、いわゆる磁気泳動タイプと呼ばれているもの、
ｂ）Ｓ極およびＮ極を有し、Ｓ極側表面部分とＮ極側表面部分とを異なる色に着色した表示用磁性体、分散媒、増稠剤とを主成分とする降伏値を有する分散液体をパネル間に収容した磁気表示パネルであって、パネルの表示面から磁石により前記磁性表示体を反転して記録を表示し、同じ面から表示の時とは逆の極の磁気によりさらに反転して表示を消去する、いわゆる磁気反転タイプと呼ばれているもの、
ｃ）最近、ＷＯ  ２００５／０３３７９０公報により開示された、着色材を含有する分散媒中に、高保磁力材からなる第１の磁性材料と低保磁力材からなる第２の磁性材料とを混合してなり、Ｓ極側表面部分とＮ極側表面部分とを、分散媒の色とも異ならせてかつ互いの磁極の色を異なる色に着色した微小磁石を分散して得られた降伏値を有する分散液体をパネル間に収容した磁気表示パネルであって、分散液体中に分散した微小磁石をパネルの表示面から磁石により泳動または泳動／反転させて表示を形成し、さらに表示面から他の磁極の磁石により表示を形成した微小磁石を反転させて表示色を変化させることができ、表示面の裏面から消去用磁石により微小磁石を引き寄せて表示を消去する、背景以外に２色の表示、つまり３色で形成された磁気表示ができる、いわゆる磁気泳動反転タイプと呼ばれているもの
がある。
【０００３】
こうした磁気表示パネルの筆記には、分散液体に含有されている磁性表示体または微小磁石に磁界を作用させて、磁性表示体または微小磁石を分散液体中で泳動および／または反転させる必要があり、そのために磁気表示パネル用の筆記用具として軸体の先端に磁石を装着したものが提供されているが、従来の筆記用具は、１つの保持軸の先端に１つの磁石を装着したものがほとんどで、太い筆跡幅が得られる大径の磁石を装着した筆記用具、前記筆跡幅より細い筆跡幅が得られる細径の磁石を装着した筆記用具が個別に提供されているのが現状であった。そのために筆跡幅を変えて磁気表示パネルに筆記したい場合には、いちいち磁石の外径が異なった別の筆記用具に持替えて筆記する必要があった。
【０００４】
別の筆記用具に持替える煩わしさの問題を解消するものとして、１つの軸体の両端に外径が異なった磁石を装着したものが提供されているが、磁石が軸体の外方に露出した状態のものばかりである。特に、玩具用の表示板として提供されたものにおいては、子供達の使い勝手や、キャップの紛失や、キャップの誤飲等の理由から、筆記先端としての磁石をキャップで被覆しているものがないのが実情である。そのために、筆記用具を落下するなどして磁石に衝撃が加わると、磁石部分が損傷してしまうことがあり、その状態で磁気表示パネルに筆記すると、磁気表示パネルの表示面を傷つけてしまい、最悪の場合はパネル間に収容された分散液体が洩れてしまうという問題がある。また、筆記用具を外に持ち出して地面等に落下した際には磁石の先端に砂鉄が付着し、手で払っただけでは簡単に砂鉄を取り除くことができず、その状態で磁気表示パネル上に筆記すると、磁気表示パネルの表示面を傷つけてしまうという問題もあった。
【０００５】
本願出願人は前記問題を解消するために、先に出願した特願２００７−５２３８６号（出願日：平成１９年３月２日）により、中空の筒状で非磁性体よりなる軸体に、磁石を両端へ移動可能に収容した磁気表示パネル用の筆記用具を提案した。なお、軸体内に磁石を移動可能に配した構造の筆記具として、特開平３−２７０７８号公報により開示された技術があるが、粉末磁性現像剤により画像を形成した表示面に像を形成するための磁気像筆記具であって、ペン軸の先端部分に突出させて設けた鉄等の磁性体からなるトナー付着部材に前記磁石を接触させることで、トナー付着部材に磁性を帯びさせトナーを吸着させるもので、磁石の移動はトナー付着部材との接触のｏｎ、ｏｆｆの作用を図るもので、両端で筆記可能とする構造のものではない。
【０００６】
しかし、磁気表示パネルの使用状態において、例えば黒板のようにパネルを立てた状態で使われることもあり、前記したような、こうした場合の筆記用具の使用状態は、パネル面に対して垂直というよりは、パネル面に対向した一端より反対側の他端が下がった仰角状態で使用される。そのために、軸体内に磁石を両端へ移動可能に収容しただけでは、磁石が重力により筆記面側と反対側の軸体の端部に移動してしまい、良好な筆跡が得られないという問題があることが判り、本発明に到った。
【特許文献１】ＷＯ  ２００５／０３３７９０号公報
【特許文献２】特開平３−２７０７８号公報
【発明の開示】
【発明が解決しようとする課題】
【０００７】
本発明は、磁気表示パネル用の筆記用具として、１つの軸体で、磁気表示パネル上に２種類の線幅や、あるいは磁気反転タイプや磁気泳動反転タイプの磁気表示パネルにおいては線の色が異なった表示が可能であって、キャップを被覆することなく、筆記用具を落下した際に、磁石の縁部に直に衝撃が加わって磁石の縁部が欠けたりせず、また筆記用具の筆記先端部に付着した砂鉄を容易に取り除け、立てた状態の磁気表示パネルに対して筆記を行っても、良好な筆跡が得られる磁気表示パネル用の筆記用具を得ることにある。
【課題を解決するための手段】
【０００８】
本発明は、
「１．磁石の磁気を利用して表示を行うことができる磁気表示パネル用の筆記用具において、非磁性体からなる軸体の内部に、軸体の一方の端部から他方の端部に延びた空間状の通路部を形成するとともに、通路部に磁石を移動可能に収容し、通路部の両端部に、通路部に連通した凹溝状の収容部を磁石が通路部から収容部へ移動して収容可能に設け、筆記時において、磁石が通路部を移動して筆記側となる軸体の一方の端部または他方の端部に位置することで、または一方の収容部または他方の収容部に収容することで、磁気表示パネルへの筆記を可能としたことを特徴とする、磁気表示パネル用の筆記用具。
２．前記収容部を、各々の収容部の底部が通路部を挟んで周方向における反対側に位置するように設けたことを特徴とする、前記１項に記載の磁気表示パネル用の筆記用具。
３．前記収容部を、軸体の中心線上に位置させるとともに、通路部を軸体の中心線に対して交叉するように傾斜させて設けたことを特徴とする、前記２項に記載の磁気表示パネル用の筆記具。
４．前記軸体が、長手方向に延びた棒状の形状であって、軸体の両方の把持部の、各々の収容部の底部の通路部を挟んで周方向における反対側の部分に、親指用の窪み状の指用当接部と人差指用の窪み状の指用当接部を設けたことを特徴とする、前記１項ないし３項のいずれか１項に記載の磁気表示パネル用の筆記具。
５．前記軸体の両方の把持部または把持部の近傍の収容部に対向した外側面の部分に、凸状または凹状の表示部を設けたことを特徴とする、前記１項ないし３項のいずれか１項に記載の磁気表示パネル用の筆記具。
６．前記磁石が、一方端をＮ極とし他方端をＳ極の磁極とした磁石であり、磁石が移動方向に回転することなく通路部に収容したことを特徴とする、前記１項ないし５項のいずれか１項に記載の磁気表示パネル用の筆記用具。
７．前記通路部の両端部における軸体の端部において、各々の端部に異なる色彩が施された透明、または半透明で形成したことを特徴とする、前記６項に記載の磁気表示パネル用の筆記用具。」
である。
【０００９】
本発明において、表示部とは、軸体を把持した際に特定した側が常に上向きに把持できるようにするための印であって、記号や文字を形成したものでも良いし、点状や筋状の突起や溝でも良い。
【００１０】
軸体を構成する非磁性体の弾性部材としては、エチレン酢酸ビニル共重合樹脂（ＥＶＡ樹脂）、エチレンアクリル酸エチル共重合樹脂（ＥＥＡ樹脂）、ポリプロピレン、ポリ塩化ビニル、ポリアセタール、合成ゴム等が挙げられる。
【発明の効果】
【００１１】
本発明の磁気表示パネル用の筆記用具は前記したような構造なので、筆記先端部となる軸体の両端部における軸径を変えることで、１つの筆記用具で、磁気表示パネル上に２種類の線幅や、あるいは磁気反転タイプや磁気泳動反転タイプの磁気表示パネルにおいては線の色が異なった表示が可能となり、いちいち他の筆記用具に持替える必要がないので使い勝手が良い。また、磁石は軸体内に収納してあるので、落下等による衝撃が軸体に加わっても磁石は軸体内に収容されているので、直に衝撃が加わらないので、磁石の縁部等の損傷の危険の度合を軽減できる。また、地面に落下した際に砂鉄が筆記先端部となる軸体に付着しても、軸体は非磁性体で形成されているので、磁石を他方向に移動することで前記筆記先端部における軸体の部分は砂鉄への磁力の影響が無くなり、簡単に筆記先端部における軸体の部分から砂鉄を払いのけることができる。また、磁気表示パネルを立てた状態で使用した際の筆記においても、パネルの表示面側の端部に設けた収納部に磁石を収納すれば、軸体を傾けても磁石が反対側に移動しないので、良好な筆跡を得ることができる。また、キャップを採用していないのでキャップの着脱行為をする必要がないので使用勝手が良い。また、構造もいたって簡単であり、製造コストもいたって安価にできるという利点がある。
【００１２】
軸体の両端部に設けた収容部の底部が、周方向において同一線上に位置していると、軸体の一方の端部を筆記先端部として使用する際には、一方の収容部に磁石を収容して使用するが、次に軸体の他方の端部を筆記先端部として使用とした際に、一方の収容部に磁石が収容したままの状態の場合には、磁気表示パネルへの筆記ができなく「いらいら感」が生じるが、請求項２に係る発明の技術とすることで、軸体の他方の端部を筆記先端部として使用とした際には、一方の収容部の底部は通路部に対して上側に位置するので、磁石は一方の収容部から必然的に離脱し、磁石は通路部を通って他方の収容部に収容され、磁気表示パネルへの筆記が可能となり、前記「いらいら感」が生じないという利点がある。
【００１３】
請求項３に係る発明の技術とすることで、筆記時において磁気表示パネルへの筆記用の磁石が両端側に位置した際に、磁石が軸の中心線上に位置するので、ボールペンやマーカー等の筆記具と同様の使い勝手で筆記可能となる。  
【００１４】
請求項４に係る発明の技術とすることで、筆記時に、把持しやすくなり、指用当接部に人差指と親指を当接して筆記用具の一方の把持部を握ることにより、磁石の凹溝状の収納部の底部が下側になるので、磁石が収容部に収容される。磁石が筆記先端部側となる一方の把持部と反対側の他方の収容部に収容されていた場合には、他方の収容部の底部が通路部の上側に位置するので、必然的に磁石は通路部に落下して収容部から離脱し、通路部部を通って一方の収容部側に移動し、一方の収容部に収容されるので、磁石を筆記側の収容部に入れるためだけの動作を行う必要がないという利点がある。
【００１５】
請求項５に係る発明の技術とすることで、筆記時に、容易に磁石の凹溝状の収納部の底部が下側になるように把持することが可能となり、前記請求項４に係る発明の技術における効果と同様の効果を得ることができる。
【００１６】
請求項６に係る発明の技術とすることで、磁気表示パネル用の筆記用具は前記した磁気反転タイプや磁気泳動反転タイプの筆記用具となり、表示を形成した微小磁石と反対の磁極の磁石により、表示を形成した微小磁石を再反転させることで表示の筆跡の色を変化させる際に、本発明の筆記具用具１つで用が足り、Ｎ極の磁極側を筆記先端部とした筆記用具と、Ｓ極の磁極側を筆記先端部とした筆記用具の２つの筆記用具を用意する必要がなく、その分、磁気表示用パネルと筆記用具やイレーザーからなる磁気表示用パネル装置を提供する際に、安価に提供することができるという利点がある。
【００１７】
請求項７に係る発明の技術とすることで、Ｎ極側の軸体をＳ極側の軸体の色を特定しておくことにより、磁石の存在場所が容易に判るとともに、どちらの軸体の端部がＮ極あるいはＳ極の磁極であるかを、容易に知ることが可能となる。
【発明を実施するための最良の形態】
【００１８】
本発明の磁気表示パネル用の筆記用具は、非磁性体よりなる中空の軸体に、軸体の一方の端部から他方の端部に延びた空間状の通路部を形成するとともに、通路部に磁石を移動可能に収容し、通路部の両端部において磁石を収容可能な収納部を設けたものである。磁石が両端へ移動することで、または移動して収納部に収容されることで筆記用具の両端が筆記先端部となり、磁気表示パネルへの筆記が可能となる。軸体の外部形状はおよび通路部の形状は、円形、四角形、多角形等何でも良く、限定されるものではない。磁石が一方端をＮ極とし他方端をＳ極の磁極とした磁石である場合には、通路部に収容した際に磁石が移動方向に回転することなく通路部内を摺動するように、通路部の形状や磁石の形状を考慮する必要がある。また、磁石は通路部をスムーズに移動が可能であれば良く、磁石と通路部における寸法関係においては、特に規制されるものではない。
【実施例】
【００１９】
本発明の磁気表示パネル用の筆記用具の実施例について、図面を用いて説明するが、本発明はこれに限定されるものではない。図１は、第１の実施例の磁気表示パネル用の筆記用具の概略を示す縦断面図である。図２は、図１における磁気表示パネル用の筆記用具の横断面図で、（ａ）は、Ａ−Ａ線部分の横断面図である。（ｂ）は、Ｂ−Ｂ線部分の横断面図である。図３は、第２の実施例の磁気表示パネル用の筆記用具の概略を示す縦断面図である。図４は、図３における磁気表示パネル用の筆記用具の横断面図で、（ａ）は、Ｃ−Ｃ線部分の横断面図である。（ｂ）は、Ｄ−Ｄ線部分の横断面図である。図５は、図３における磁気表示パネル用の筆記用具の横断面図で、（ａ）は、Ｅ−Ｅ線部分の横断面図である。（ｂ）は、Ｆ−Ｆ線部分の横断面図である。
【００２０】
図１〜図２に示す第１の実施例の磁気表示パネル用の筆記用具１は、軸体２を、筆記用具１による磁気表示パネル面（図示せず）への傷つけ問題を低減するために、ポリプロピレンで形成してある。軸体２の形状は、断面形状が四角形状に形成してある（ず２を参照）。軸体２の中央には、軸体２の両端に開口した、断面が四角形状の空間で構成された通路部３を設けてある。通路部３の軸体の両端部２ａ、２ｂには、凹溝で形成された収容部４、５を、該収容部４、５の底部６、７が通路部３を挟んで周方向における反対側に互いが位置し、通路部３に連通しかつ開口させて設けてあり、磁石が通路部３から移動して収容可能としてある。また、収容部４、５の一方の端部４ａ，５ａは外方に開口して設けてある。
【００２１】
前記軸体２の通路部３には、一方端をＮ極とし他方端をＳ極の磁極とした、断面形状が四角形状の磁石８を移動可能に挿入してある。通路部３と磁石８の寸法関係は、磁石８が移動する際に移動方向に回転することのないようになっている。図示していないが、磁石８のＮ極側となる軸体２の一方の端部２ａの部分は、磁気泳動反転型表示パネル（図示せず）に磁石のＮ極側の磁極で筆記した際に、磁気泳動反転型表示パネルに表示される筆跡の色と同色または同系色の色彩が施された半透明状に形成されており、磁石８のＳ極側となる軸体２の他方の端部２ｂの部分は、磁気泳動反転型表示パネル（図示せず）に磁石のＳ極側の磁極で筆記した際に、磁気泳動反転型表示パネルに表示される筆跡の色と同色または同系色の色彩が施された半透明状に形成されている。
【００２２】
軸体２の両端部２ａ、２ｂの壁面２ａａ、２ｂａには、軸体２の外径より小径で同様な深さの係合凹部９を設けてあり、該係合凹部９の形状にあった磁性部材で形成した栓部材１０を接着剤により固着してある。栓部材１０により、開口した通路部３の端部や両収容部の端部から、磁石８が飛び出すのを防止している。なお、軸体２の両端壁面２ａａ、２ｂａと栓部材１０の端面１０ａが面一となるように設けてある。本実施例における筆記用具１においては、前記栓部材１０の端面１０ａと軸体２の壁面２ａａが、また栓部材１０の端面１０ａと軸体２の壁面２ｂａが筆記先端部となる。栓部材１０の軸心方向の厚さは、言うまでもなく磁気表示パネル（図示せず）への筆記の際に、栓部材１０が磁石８により磁性して、磁気表示パネルへの表示が可能な程度の厚さとしてある。
【００２３】
両収容部４、５の底部６、７に対して通路部３を挟んだ反対側に位置する軸体２の両把持部部分１１、１２には、断面形状が半円状で若干長手方向に延びた凸状の表示部１３を設けてある。表示部１３を指（図示せず）で挟持するように把持することで、収納部４、５の底部６、７は通路部３の下側に位置するようになり、磁石８が収容部４、５に収容されていれば、磁気表示パネル（図示せず）を立てた状態で使用した際の筆記において、軸体２が、仮に端部２ｂを筆記側とした場合に、反対側の端部２ａが端部２ｂより下がった状態に傾いても、磁石８が通路部３を通って反対側の端部２ａ側に移動してしまうことがなく、良好な筆跡を得ることができる。
【００２４】
図３〜図５に示す第２の実施例の磁気表示パネル用の筆記用具２１は、第１の実施例における軸体２と同様に、軸体２２はポリプロピレンで形成してあり、断面形状が円形形状で、両端部２２ａ、２２ｂにおいて先窄み状の先端部２３、２４を有した形状としてある。軸体２２には、第１の実施例と同様に軸体２２の両端に開口した、断面が円形状の空間で構成された通路部２５を設けてある。該通路部２５は、軸体２２の中心線２６に対して交叉するように傾斜させて設けてある。軸体２２の先端部２３、２４には、通路部２５に連通しかつ開口した、軸体２２の中心線２６上に位置して一端を外方に開口した、凹溝で形成された収容部２７、２８を設けてあり、磁石が通路部２５から移動して収容可能としてある。収容部２７、２８は、互いの底部２９、３０が通路部２５を挟んで周方向における反対側に互いが位置するように設けてある。通路部２５の両端は、各収容部２７、２８の底部２９、３０側に傾斜した傾斜部２５ａを設け、挿入した磁石３１が通路部２５に沿って移動し、収容部２７、２８上に来ると前記傾斜部２５ａにより各収容部２７、２８に収容され易いようにしてある。
【００２５】
前記軸体２２の通路部２５には、一方端をＮ極とし他方端をＳ極の磁極とした、丸棒状の磁石３１を移動可能に挿入してある。通路部２５と磁石３１の寸法関係は、磁石３１が移動する際に移動方向に回転することのないようになっている。図示していないが、磁石３１のＮ極側の部分の軸体２２の先端部２３には、磁気泳動反転型表示パネルに磁石のＮ極側の磁極で筆記した際に、磁気泳動反転型表示パネルに表示される筆跡の色と同色または同系色の色彩が施されており、磁石３１のＳ極側の軸体２２の他方の先端部２４には、磁気泳動反転型表示パネルに磁石のＳ極側の磁極で筆記した際に、磁気泳動反転型表示パネルに表示される筆跡の色と同色または同系色の色彩が施されている。
【００２６】
軸体２２の先端部２３、２４の端面２３ａ、２４ａには、第１の実施例と同様に、軸体２２の外径より小径で同様な深さの係合凹部３２を設けてあり、該係合凹部３２の形状にあった磁性部材で形成した栓部材３３を接着剤により固着してある。栓部材３３により、開口した通路部２５の端部や収容部の開口した端部から、磁石３１が飛び出すのを防止している。なお、軸体２２の先端部の端面２３ａ、２４ａと栓部材３３の端面３３ａが面一となるように設けてある。本実施例における筆記用具２１においては、前記栓部材３３の端面３３ａと軸体２２の先端部の端面２３ａが、また栓部材３３の端面３３ａと軸体２２の先端部の端面２４ａが筆記先端部となる。栓部材３３の軸心方向の厚さは、言うまでもなく磁気表示パネル（図示せず）への筆記の際に、栓部材３３が磁石３１により磁性して、磁気表示パネルへの表示が可能な程度の厚さとしてある。
【００２７】
軸体２２の両端における把持部３４、３５の、各々の収容部２７、２８の底部２９、３０の通路部２５を挟んで周方向における反対側に、図４に示すように、親指用の窪み状の指用当接部３６と人差指用の窪み状の指用当接部３７を設けてある。軸体２２の他方の把持部３５において、親指（図示せず）を指用当接部３６に人差指を指用当接部３７に当接して把持することで、収納部２８の底部３０は通路部２５の下側に位置するようになり、磁石３１が収容部２８に収容されていれば、磁気表示パネル（図示せず）を立てた状態で使用した際の筆記において、反対側の一方の先端部２３が下がった状態に傾いても、磁石３１が通路部２５を通って他方の先端部２３側に移動してしまうことがなく、良好な筆跡を得ることができる。また、一方の把持部３４の、親指（図示せず）を指用当接部３６に人差指（図示せず）を指用当接部３７に当接して把持して筆記しようとした際には、他方の把持部３５に位置する収容部２８に磁石３１が収容されていても、前記収容部２８の底部３０は通路部２５に対して上側に位置するので、磁石３１は収容部２８から落下して離脱し、通路部２５を通って一方の収容部２７側に移動して、傾斜部２５ａに沿って移動し収容部２７に収容されるので、筆記の際にいちいち磁石３１の位置を気にする必要がない。
【産業上の利用可能性】
【００２８】
磁気表示パネル用の筆記用具として２本存在するものを、１つにまとめることができ、従来の玩具用の磁気表示パネルにおいて複数本の筆記用具の収納スペースが必要であったものが１つの収納スペースで良く、表示パネルの包装体のサイズの縮小化が可能となる。
【図面の簡単な説明】
【００２９】
【図１】第１の実施例の磁気表示パネル用の筆記用具の概略を示す縦断面図である。
【図２】図１における磁気表示パネル用の筆記用具の横断面図で、（ａ）は、Ａ−Ａ線部分の横断面図である。（ｂ）は、Ｂ−Ｂ線部分の横断面図である。
【図３】第２の実施例の磁気表示パネル用の筆記用具の概略を示す縦断面図である。
【図４】図３における磁気表示パネル用の筆記用具の横断面図で、（ａ）は、Ｃ−Ｃ線部分の横断面図である。（ｂ）は、Ｄ−Ｄ線部分の横断面図である。
【図５】図３における磁気表示パネル用の筆記用具の横断面図で、（ａ）は、Ｅ−Ｅ線部分の横断面図である。（ｂ）は、Ｆ−Ｆ線部分の横断面図である。
【符号の説明】
【００３０】
１、２１  筆記用具
２、２２  軸体
３、２５  通路部
４、５、２７、２８  収容部
６、７、２９、３０  底部
８、３１  磁石
１１、１２、３４、３５  把持部
３６、３７  指用当接部
【図１】
2010019943.tif 000003
【図２】
2010019943.tif 000004
【図３】
2010019943.tif 000005
【図４】
2010019943.tif 000006
【図５】
2010019943.tif 000007